(57)【要約】【課題】下水の水路等に設置して、スカムなどの浮遊物の回収を行うことにより、沈殿池等の浮遊物の発生を減少させる浮遊物回収装置の提供。【解決手段】水路２０の保持部２１によって上下動を可能に保持された、断面が長方形である長尺の箱体である堰止め部材１０を設け、堰止め部材１０は浮力により堰止め部材１０の一部分が水面よりも上方に浮上して水路２０の水面の流れを遮り、水路２０に流れ、水面２２ａに浮いて水中に含まれる浮遊物を堰止め部材１０により堰き止めることにより前記浮遊物を回収することを特徴としている。【選択図】　図１
2004097967.tif 000002
【特許請求の範囲】
【請求項１】
水路と、堰止め部材を有し、水路には保持部が設けられ、前記堰止め部材は前記保持部によって上下動を可能に保持され、堰き止め部材は浮力発生部により水に浮いて、水路の水面上の流れを堰止めることを特徴とする浮遊物回収装置。
【請求項２】
前記堰止め部材の内部には空洞が設けられ、前記空洞には外部と連通する開口が設けられ、前記開口は底部及び天井部の双方に位置していることを特徴とする請求項１に記載の浮遊物回収装置。
【請求項３】
前記堰止め部材は長尺状であり、前記保持部は水路の両側面に設けられており、堰止め部材の長尺方向の両端が前記保持部によって保持されていることを特徴とする請求項１又は２に記載の浮遊物回収装置。
【請求項４】
前記保持部は、上下方向に延びる溝状であることを特徴とする請求項３に記載の浮遊物回収装置。
【請求項５】
前記浮力発生部は、水路の水流に耐えることが可能な程度に剛性を有していることを特徴とする請求項１〜４のいずれかに記載の浮遊物回収装置。
【請求項６】
前記浮力発生部は、堰止め部材の空洞に設けられていることを特徴とする請求項２〜５のいずれかに記載の浮遊物回収装置。
【請求項７】
前記堰止め部材の天井部の開口が、突起形状となっていることを特徴とする請求項２〜６のいずれかに記載の浮遊物回収装置。
【請求項８】
堰止め部材には浮遊物飛散防止部材が設けられていることを特徴とする請求項１〜７のいずれかに記載の浮遊物回収装置。
【請求項９】
堰止め部材の長尺方向の両端には脱落防止部材が設けられ、脱落防止部材は、堰止め部材の回転を規制するものであることを特徴とする請求項３〜８のいずれかに記載の浮遊物回収装置。
【請求項１０】
収集板を有する浮遊物収集部材が設けられ、前記収集板は、堰止め部材の上流側に設けられて、水路の側面側に移動可能であり、堰止め部材の上流側に回収されている浮遊物を水路の側面側に移動することが可能な請求項１〜９のいずれかに記載の浮遊物回収装置。
【請求項１１】
前記収集板は、堰止め部材の上流側に沿ってスライドすることができることを特徴とする請求項１０に記載の浮遊物回収装置。
【請求項１２】
前記収集板は堰止め部材の上流側を覆って、堰止め部材に設けられている回転軸と回転可能に接続し、前記回転軸は水路の側面側に位置していることを特徴とする請求項１０又は１１に記載の浮遊物回収装置。
【請求項１３】
前記収集板の移動は、水路の外側から遠隔操作が可能であることを特徴とする請求項１０〜１２のいずれかに記載の浮遊物回収装置。
【発明の詳細な説明】
【０００１】
【発明の属する技術分野】
本発明は、水路を流れる水中に含まれる浮遊物を回収する装置に関するものである。
【０００２】
【従来の技術】
下水処理施設などの水処理施設に導入される下水は、スカムと呼ばれる浮遊物などが含まれている。このスカムは、水よりも密度が低い固体状の浮きかすであり、排水中の懸濁物質、繊維質、油脂質等が浮いて発生するものである。
【０００３】
このスカムなどの浮遊物は、下水処理の際に除去されるべきものである。そして、従来は浮遊物の除去を、図１５に示されるような沈殿池１００の内部で、下水中の沈殿物の除去と合わせて行われていた。
沈殿池１００は、上流側に整流板１０４等が設けられており、整流板１０４を通過して、下水が沈殿池１００の内部に流入する。そして、内部には汚泥掻き寄せ機１０１が設けられており、沈殿池１００内で沈殿した沈殿物は、内部で回転する汚泥掻き寄せ機１０１により沈殿ピット１０５に運ばれる。また、一方で比重が小さい浮遊物（スカム）は、下水の水面付近に設けられたドラム１０３から排出される。前記ドラム１０３の開口は向きを変えることができ、浮遊物が溜まると、ドラム１０３の開口を上流側に向けて下水と共に排出する。そして、沈殿物と浮遊物が取り除かれた下水は、越流トラフ１０７から排出され、次工程に進む。
【０００４】
【発明が解決しようとする課題】
上記した浮遊物をドラム１０３から排出するのは、下水の流れによって行われる。ここで、浮遊物を常時排出すると、多くの下水がドラム１０３から排出してドラム１０３に多くの下水が流れるので、越流トラフ１０７から排出されないため、浮遊物が適当に溜まった段階で排出を行う必要がある。そして、この作業は、通常手作業で行われており、できるだけ少ない頻度で行うことが望まれていた。
また、浮遊物であるスカムは凝集して固まることがあり、ドラム１０３に流入できない程度に大きくなって、ドラム１０３から排出できなくなってしまうおそれがあった。
【０００５】
ところで、水処理施設などでの下水の移動は、水路によって行われ、沈殿池１００に下水を導入する移動手段としても水路が用いられている。ここで、水路によって上記したスカムなどの浮遊物を回収した後に、下水を沈殿池で処理すれば、沈殿池内の浮遊物が減少し、上記の問題は改善される。また水路で浮遊物の回収が可能になれば、スカムが大きくなっても容易に回収することができる。
【０００６】
そこで、本発明は、水路に設置して、スカムなどの浮遊物の回収を容易に行うことが可能な浮遊物回収装置を提供することを課題とする。
【０００７】
【課題を解決するための手段】
そして、上記した目的を達成するための請求項１に記載の発明は、水路と、堰止め部材を有し、水路には保持部が設けられ、前記堰止め部材は前記保持部によって上下動を可能に保持され、堰き止め部材は浮力発生部により水に浮いて、水路の水面上の流れを堰止めることを特徴とする浮遊物回収装置である。
【０００８】
請求項１に記載の発明によれば、水路の保持部によって上下動を可能に保持された堰止め部材が設けられているので、水路の水面が上下しても、浮力により堰止め部材の上部が水面より浮上して、水路を流れる水中に含まれる浮遊物を堰止め部材によって堰き止めて回収することができる。
【０００９】
請求項２に記載の発明は、前記堰止め部材の内部には空洞が設けられ、前記空洞には外部と連通する開口が設けられ、前記開口は底部及び天井部の双方に位置していることを特徴とする請求項１に記載の浮遊物回収装置である。
【００１０】
請求項２に記載の発明によれば、堰止め部材は内部に空洞が設けられており、堰止め部材が大きくても比較的軽量とすることができる。空洞には外部と連通する開口が設けられ、前記開口は底部及び天井部の双方に位置しているので、浮遊物回収装置を使用する際には空洞内部に水が入り、静水圧に耐えることができ、堰止め部材の重心が低くなるので、安定する。
【００１１】
請求項３に記載の発明は、前記堰止め部材は長尺状であり、前記保持部は水路の両側面に設けられており、堰止め部材の長尺方向の両端が前記保持部によって保持されていることを特徴とする請求項１又は２に記載の浮遊物回収装置である。
【００１２】
請求項３に記載の発明によれば、堰止め部材は長尺状であり、堰止め部材の長尺方向の両端が水路の両側面に設けられた保持部によって保持されているので、堰止め部材により容易に水路の水面を遮ることができ、また、保持部を容易に製作することができる。
【００１３】
請求項４に記載の発明は、前記保持部は、上下方向に延びる溝状あることを特徴とする請求項３に記載の浮遊物回収装置である。
【００１４】
請求項４に記載の発明によれば、前記保持部は、上下方向に延びる溝状あるので、容易に保持部を設けることができる。
【００１５】
請求項５に記載の発明は、前記浮力発生部は、水路の水流に耐えることが可能な程度に剛性を有していることを特徴とする請求項１〜４のいずれかに記載の浮遊物回収装置である。
【００１６】
請求項５に記載の発明によれば、浮力発生部は水路の水流に耐えることが可能な程度に剛性を有しているので、浮力発生部により水面の遮断が可能となる。
【００１７】
請求項６に記載の発明は、前記浮力発生部は、堰止め部材の空洞に設けられていることを特徴とする請求項２〜５のいずれかに記載の浮遊物回収装置である。
【００１８】
請求項６に記載の発明によれば、浮力発生部は堰止め部材の空洞に設けられているので、浮力発生部が水路の水流に当たりにくく破損しにくい。
【００１９】
請求項７に記載の発明は、前記堰止め部材の天井部の開口が、突起形状となっていることを特徴とする請求項２〜６のいずれかに記載の浮遊物回収装置である。
【００２０】
請求項７に記載の発明によれば、前記堰止め部材の天井部の開口が、突起形状となっているので、浮遊物によって前記開口が塞がれにくい。
【００２１】
請求項８に記載の発明は、堰止め部材には浮遊物飛散防止部材が設けられていることを特徴とする請求項１〜７のいずれかに記載の浮遊物回収装置である。
ここで、「浮遊物飛散防止部材」とは、浮遊物に風などが当たって飛散することを防止するものであり、浮遊物に風が当たりにくくする部材や、浮遊物に当たる風を軽減させる部材や、浮遊物に風により移動した場合でもフェンスなどにより飛散を防止する部材などである。
【００２２】
請求項８に記載の発明によれば、浮遊物飛散防止部材により、浮遊物の飛散を防止することができる。
【００２３】
請求項９に記載の発明は、堰止め部材の長尺方向の両端には脱落防止部材が設けられ、脱落防止部材は、堰止め部材の回転を規制するものであることを特徴とする請求項３〜８のいずれかに記載の浮遊物回収装置である。
【００２４】
請求項９に記載の発明によれば、堰止め部材の長尺方向の両端部に、堰止め部材の回転を規制する脱落防止部材が設けられているので、堰止め部材が回転して保持部から脱落することがない。
【００２５】
請求項１０に記載の発明は、収集板を有する浮遊物収集部材が設けられ、前記収集板は、堰止め部材の上流側に設けられて、水路の側面側に移動可能であり、堰止め部材の上流側に回収されている浮遊物を水路の側面側に移動することが可能な請求項１〜９のいずれかに記載の浮遊物回収装置である。
【００２６】
請求項１０に記載の発明によれば、収集板を有する浮遊物収集部材によって、浮遊物の収集を容易にすることができる。すなわち、収集板を水路の側面側に移動し、堰止め部材の上流側に回収されている浮遊物を水路の側面側に移動することにより収集する。
【００２７】
請求項１１に記載の発明は、前記収集板は、堰止め部材の上流側に沿ってスライドすることができることを特徴とする請求項１０に記載の浮遊物回収装置である。
【００２８】
請求項１１に記載の発明によれば、前記収集板は堰止め部材の上流側に沿ってスライドすることができるので、堰止め部材の上流側に堰き止められた浮遊物を容易に移動させることができる。
【００２９】
請求項１２に記載の発明は、前記収集板は堰止め部材の上流側を覆って、堰止め部材に設けられている回転軸と回転可能に接続し、前記回転軸は水路の側面側に位置していることを特徴とする請求項１０又は１１に記載の浮遊物回収装置である。
【００３０】
請求項１２に記載の発明によれば、収集板は上流側を覆っているので、浮遊物が収集板の上流側に堰き止められ、さらに、収集板は水路の側面側に位置している回転軸と回転可能であるので、収集板を回転させ堰き止められた浮遊物を水路の側面側に移動させることができる。
【００３１】
請求項１３に記載の発明は、前記収集板の移動は、水路の外側から遠隔操作が可能であることを特徴とする請求項１０〜１２のいずれかに記載の浮遊物回収装置である。
【００３２】
請求項１３に記載の発明によれば、収集板の移動は水路の外側から遠隔操作が可能であり、収集板を移動する際に水路に誤って落ちることがない。
【００３３】
【発明の実施の形態】
以下さらに本発明の具体的実施例について説明する。図１は、本発明の第１の実施形態における浮遊物回収装置の斜視図である。図２は、本発明の第１の実施形態の堰止め部材の斜視図である。図３は本発明の第１の実施形態の堰止め部材断面図である。図４，図５は、堰止め部材の変形例の堰止め部材断面図である。図６は、本発明の第１の実施形態における浮遊物回収装置の水路の側面から見た断面図である。図７は、本発明の第２の実施形態における浮遊物回収装置の斜視図である。図８は、本発明の第３の実施形態における浮遊物回収装置の斜視図である。図９は、本発明の第４の実施形態における浮遊物回収装置の水路の側面から見た断面図である。図１０は、本発明の堰き止め部材の変形例を示した断面図である。図１１は、本発明の第５の実施形態における浮遊物回収装置の斜視図及び側面図である。図１２は、本発明の第６の実施形態における浮遊物回収装置を上から見た側面図である。図１３，図１４は、堰止め部材の変形例の断面図である。
【００３４】
図１は、本発明の第１の実施形態における浮遊物回収装置１を示したものである。浮遊物回収装置１には堰止め部材１０が設けられ、堰止め部材１０は浮遊物が含まれる下水２２の流路である水路２０に設置される。そして堰止め部材１０は水路２０の保持部２１に保持されて、水路２０に流れる下水２２から浮力を受けて浮いている。
【００３５】
堰止め部材１０は、図２に示されるように、断面が長方形である長尺の箱体２６である。そして、堰止め部材１０の内部には空洞２３が設けられ、仕切板２５により３カ所に仕切られている。また、堰止め部材１０の長尺に沿った面である上面３１と下面３２には貫通孔２７が設けられている。堰止め部材１０を水路２０に設置する際には、上面３１を上にし、下面３２を下側にする。そして堰止め部材１０が設置されると上面３１側の貫通孔２７である上側貫通孔２７ａは堰止め部材１０の天井部に、下面３２側の貫通孔２７である下側貫通孔２７ｂは堰止め部材１０の底部に位置する。なお、本実施形態の堰止め部材１０においては天地が逆でも構わない。
【００３６】
貫通孔２７は、外部と空洞２３とを貫通する開口となるものであり、長尺方向に所定の間隔で設けられている。また、上側貫通孔２７ａと下側貫通孔２７ｂは、上面３１と下面３２に設けられているので、堰止め部材１０の対向する２面に位置している。各面に設けられた貫通孔２７は、各空洞２３に連通している。
堰止め部材１０の長尺方向の長さは、水路２０の幅よりも長く、後述する保持部２１の幅よりも短い。
【００３７】
堰止め部材１０は、全体が比重が１以下の材料で構成されており、浮力発生部５０となっている。また、堰止め部材１０は水路の水流に耐えることのできる程度に剛性を備えたものである。すなわち、堰止め部材１０は、浮力を発生させる浮力発生部５０と、水路の水流に耐えることができることが可能な剛性部５１とを兼ね備えたものである。「水路の水流に耐えることができる」とは、設置される水路の水流を受けても破損することが無く、また、台風などの異常時における水路２０の流れを考慮した水流にも耐えるものである。堰止め部材１０は、比重が０．４〜０．８であることが望ましく、また曲げ強さは５０〜２００ＭＰａであることが望ましい。
堰止め部材１０の材質は、具体的には、木材や発泡樹脂などが用いられ、発泡樹脂の基材としては、塩化ビニル樹脂やアクリル樹脂等の硬質プラスチック、繊維強化プラスチック（ＦＲＰ）等が用いられる。
【００３８】
さらに、堰止め部材１０の素材は、発泡樹脂であって、繊維維強化樹脂であることが好ましい。発泡樹脂の種類としては、例えば、ウレタン樹脂、エポキシ樹脂、ビニルエステル樹脂、不飽和ポリエステル樹脂、フェノール樹脂等の熱硬化性樹脂であって硬質のものが好適に使用される。なお、発泡樹脂中に、圧縮強度の向上や低コスト化を図るために、炭酸カルシウム、石膏、タルク、水酸化アルミニウム、クレー等の無機充填材や、シラスバルーン、パーライト、ガラスバルーン等の軽量骨材が添加されていてもよい。
また、発泡体を補強する繊維としては、例えば、ガラス繊維、炭素繊維、金属繊維等の無機質繊維、天然繊維、合成繊維等の有機質繊維のいずれであってもよいが、強度や経済性の面からガラス繊維が適している。ガラス繊維としては、ガラスロービング、ガラスロービングクロス、ガラスマット、コンティニュアスストランドマット等の形態のものが挙げられる。この繊維は単独で使用してもよいし、二層以上積層してもよく、また、長繊維と短繊維を混ぜて使用してもよい。なお、ガラス長繊維を長手方向に引き揃えて補強繊維とした、ガラス長繊維強化硬質ウレタン発泡体（例えば、積水化学工業株式会社製、商品名「エスロンネオランバーＦＦＵ」など）を採用するのが、軽量化、耐久性および加工性の確保のために最も好ましい。
【００３９】
水路２０に設けられている保持部２１は、水路２０の両側面が上下方向に延びる溝状であり、水路を上から見ると、保持部２１では水路２０の幅が部分的に広くなっている。保持部２１は水路２０の対向する位置の両側面に設けられ、一対で堰止め部材１０をガイドし、保持する。そして保持部２１の空間部分の形状は、上下方向に長い柱状体であり、水平方向の断面は長方形であってほぼ同一形状をしている。
【００４０】
そして、堰止め部材１０を水路２０に設置する。具体的には、堰止め部材１０の両端部分を水路２０の両側に設けられた保持部２１に嵌め込む。堰止め部材１０の長尺方向の長さは、水路２０の幅よりも長く、保持部２１における水路２０の幅よりも短い。また、堰止め部材１０の水路の流れ方向の幅は、保持部２１とほぼ同じであり、堰止め部材１０は流れ方向にはほとんど移動しない。
【００４１】
保持部２１は上下方向に長い溝状であるので、保持部２１に設置された堰止め部材１０は、上下方向にのみ移動することができる。一方、堰止め部材１０は水路２０に流れる下水２２から浮力を受けて浮いている。したがって、堰止め部材１０は水路２０の水面２２ａに応じて上下方向にのみ移動する。
【００４２】
堰止め部材１０を水路２０に設置する際には、下面３２の下側貫通孔２７ｂから下水２２が、堰止め部材１０の空洞２３内部に浸入する。このとき、空洞２３の空気が上面３１の上側貫通孔２７ａから抜けるので容易に下水が浸入することができる。したがって、堰止め部材１０を水路２０に設置すると、静水圧に耐え、また、設置すると重心が下がって安定する。
堰止め部材１０は保持部２１により保持されながら、下側に向かって移動し、除々に沈む。上記したように堰止め部材１０の材質の比重は１以下であり、所定の位置で浮力と重力が釣り合って沈み止まり、堰止め部材１０が水路２０の下水２２に浮いた状態となる。このとき、水面２２ａの位置は、堰止め部材１０の垂直方向の中央付近に位置しており、さらに、堰止め部材１０の垂直方向の２／３〜１／３が水面より浮上するように調整するのが望ましい。そして、水面２２ａと堰止め部材１０との位置関係は、水位が変化しても変わらない。
【００４３】
さらに、水路２０にスカムなどの浮遊物３５を含む下水２２が流れると、図６に示されるように、堰止め部材１０により浮遊物３５を堰き止めて、下水２２は堰止め部材１０の下側を流れる。また、水路２０の水面の位置が変化しても、堰止め部材１０が上下方向に移動するので、浮遊物３５の回収が可能である。
【００４４】
また、本実施形態の堰止め部材１０の断面は図３のような形状であるが、図４，図５に示されるような堰止め部材１１ａ，１１ｂを用いることにより堰止め部材１１ａ，１１ｂと水面２２ａとの位置関係を変えることもできる。すなわち、堰止め部材１１ａ，１１ｂには、比重の小さい高さ調整部材２８が設けられている。そして、図４に示される堰止め部材１１ａのように、高さ調整部材２８を水面２２ａより上側に取り付けて、重力を大きくして、水面２２ａの位置を上側とすることもでき、また、図５に示される堰止め部材１１ｂのように、高さ調整部材２８を水面２２ａより下側に取り付けて、浮力を大きくして、水面２２ａの位置を下側とすることもできる。
上記の堰止め部材１１ａ，１１ｂでは、高さ調整部材２８は、堰止め部材１０と同様に比重の小さいものを用いていたが、重力を大きくする場合には、比重の大きいものを用いることもできる。
【００４５】
本発明の第２の実施形態における浮遊物回収装置２は、図７に示されており、脱落防止部材４０を有するものである。脱落防止部材４０は、堰止め部材１０の長尺方向の端部付近で接続して下向きに延びる部材であり、両端に設けられている。堰止め部材１０の長尺方向と、脱落防止部材４０とは垂直であり、堰止め部材１０と両側の脱落防止部材４０を合わせた形状は「コ」字状となる。
脱落防止部材４０の水平方向の幅ｂ（水路２０の流れ方向）は、堰止め部材１０と略同一であり、上下方向の長さａは堰止め部材１０の垂直方向の長さよりも長い。
【００４６】
脱落防止部材４０は、堰止め部材１０の回転を規制し、堰止め部材１０の保持部よりの脱落を防止する。
すなわち、堰止め部材１０の幅Ｄ１は、上下動をさせるための隙間を有しているので、保持部２１における水路２０の幅Ｌ１よりもやや短い。したがって、堰止め部材１０の垂直面における対角線Ｄ２が、保持部２１における水路２０の幅Ｌ１よりも短い場合には、水路２０の下水２２の流れなどの外力によって、堰止め部材１０が回転して長尺方向が傾斜し、保持部２１から外れるおそれがある。しかし、脱落防止部材４０によって、脱落防止部材４０の垂直面における対角線Ｄ３を、堰止め部材１０の垂直面における対角線Ｄ２よりも大きくすることができる。そして、堰止め部材１０の回転を規制することができ、堰止め部材１０が傾斜して保持部２１から脱落することがない。特に、水路２０の幅が長い場合には、堰止め部材１０の幅Ｄ１と、堰止め部材１０の垂直面における対角線Ｄ２の差が小さくなりやすく、堰止め部材１０が脱落しやすくなるが、脱落防止部材４０を設けることにより、堰止め部材１０が脱落しない。
【００４７】
また、脱落防止部材４０の大きさ、形状、比重等を調整し、前記した堰止め部材１０と水面２２ａとの位置関係を変える高さ調整部材２８と兼用することもできる。さらに、脱落防止部材４０の材質に金属などの比重の大きい材質のものを採用すると、仮に、堰止め部材１０が傾斜した場合でも、傾斜の上方側が相対的に重力が大きくなり浮力が小さくなるので、傾きを矯正する方向の力が大きくなり、堰止め部材１０が傾斜しにくく安定しやすい。
【００４８】
本発明の第３の実施形態における浮遊物回収装置３は、図８に示され、弾性板４１が設けられている。弾性板４１は、堰止め部材１０の水路２０の上流側に面する両端付近であって、水面２２ａの高さとなる位置に設けられている。そして、堰止め部材１０が長尺方向の両端で保持部２１に設置されると、弾性板４１は水路２０と密着し、堰止め部材１０と保持部２１との隙間を塞いでいる。
また、弾性板４１の材質は適度な弾性を有するものであり、ゴム板等が用いられる。したがって、堰止め部材１０が移動する際には、弾性板４１が変形して密着性が維持される。
【００４９】
そのため、堰止め部材１０の上流側の水面２２ａでは、水路２０、弾性板４１及び堰止め部材１０により封鎖されるので、水路２０の下水２２が堰止め部材１０付近を流れる際には、堰止め部材１０下側を通過して、下水２２の浮遊物３５は浮遊物回収装置３により下流側に流れることなく、より確実に回収することができる。
【００５０】
また、図１０（ａ）、（ｂ）に示される堰止め部材６０，６１も採用することが出来る。堰止め部材６０，６１は、天井部側の形状に特徴を有するものであり、天井部側の開口付近が突起形状となっている。
堰止め部材６０は、天井部の上側貫通孔２７ａ付近のみが上側に延びており、具体的には、パイプ状の突起形状材２９が天井部に上向きに取り付けられた様な形状となっている。また、堰止め部材６１は、その天井部側を上向きに凸状となるように傾斜しており、頂点部分に上側貫通孔２７ａが設けられている。
そして、堰止め部材６０，６１を採用した場合には、天井部に溜まったスカムなどの浮遊物が、上側貫通孔２７ａを塞いだり、覆ったりすることがない。
【００５１】
本発明の第４の実施形態における浮遊物回収装置４は、図９に示され、浮遊物飛散防止部材４３が設けられている。浮遊物飛散防止部材４３は、堰止め部材１０の上方に設けられており、堰止め部材１０の上流側に堰き止められて回収されている浮遊物３５が、飛散することを防止するものである。浮遊物飛散防止部材４３は平面板状であり、堰止め部材１０の上側に設けられている。浮遊物飛散防止部材４３の平面の向きは堰止め部材１０の長尺方向に平行であり、上下方向に平行であり、浮遊物飛散防止部材４３は水路２０の幅方向のほぼ全体に設けられている。
そして、周辺に風が吹いた場合に、回収された浮遊物３５に当たる風を浮遊物飛散防止部材４３によって軽減させるので浮遊物３５が飛ばされにくい。また、浮遊物３５が、風によって飛ばされた場合にも、浮遊物飛散防止部材４３によって飛散を防止する。
したがって、浮遊物飛散防止部材４３は上記作用により浮遊物の飛散を防止するものであればよく、板状、網状、有孔板でもよく、上流側に傾斜していても良い。
【００５２】
次に、第５及び第６の実施形態の浮遊物回収装置５，６について説明する。浮遊物回収装置５，６は、第１の実施形態の浮遊物回収装置１に浮遊物収集部材を設けたものであり、浮遊物３５を堰き止めた後に、浮遊物３５を容易に回収することができるものである。
【００５３】
本発明の第５の実施形態における浮遊物回収装置５は、図１１に示され、浮遊物収集部材８０が設けられている。浮遊物収集部材８０には、収集部８２、スライド保持部８７、ひも部８４を有している。
収集部８２は、堰止め部材１０の上流側に位置する収集板８１を有している。堰止め部材１０が浮いている状態では、収集板８１は、水面２２ａ付近の高さに位置している。そして、収集部８２はスライド保持部８７によって１０の長尺方向にスライド可能に保持されている。具体的には、スライド保持部８７に設けられ、長尺方向に平行な貫通長孔８６に、収集部８２に設けられた接合ピン８３が挿通されて保持されている。
スライド保持部８７は、堰止め部材１０の上側に固定されており、具体的にはボルト８９により行われている。
【００５４】
収集部８２の接合ピン８３はひも部材８４と連結されている。そのため、ひも部材８４を引くことにより、収集部８２に力が伝わって移動し遠隔操作が可能となる。ひも部材８４は水路２０の両側から引くことができ、収集部８２は両側のどちら方向にも移動させることができる。
【００５５】
浮遊物３５が堰止め部材１０の上流側に堰き止められた後に、ひも部材８４を引き寄せる。そうすると収集板８１の手前側の浮遊物３５が水路２０の側面側に移動する。また、反対側からひも部材８４を引き寄せると、同様に浮遊物３５が移動する。このように収集板８１を移動させることで水路２０の中央付近の浮遊物３５が水路２０の側面側に収集されて、浮遊物３５を容易に引き上げることができる。
【００５６】
本発明の第６の実施形態における浮遊物回収装置６は、図１２に示され、浮遊物収集部材９７が設けられている。浮遊物収集部材９７は、収集板９０とひも部材９４を有している。収集板９０は、左右対称の２枚の板から成り、それぞれの収集板９０は、水路２０の中央から後述する回転軸９１まで覆うことのできる板であり、さらに中央側の端部から上流側に向かって、「Ｌ」字状に折れ曲がっている折れ曲がり部９０ａが設けられている。そして、左右の収集板９０により、堰止め部材１０の上流側を覆っている。収集板９０は、回転軸９１によって回転可能に堰止め部材１０と接続しており、回転軸９１は保持部２１付近に設けられている。したがって、収集板９０は、水路２０の中央側を外側として回転することができる。
また、ひも部材９４は、収集板９０の固定部９３に接続しており、ひも部材９４を引くことにより収集板９０が回転する。ひも部材９４の一方は水路２０の上流側の外側で引き取ることができる。ひも部材９４の他方は堰止め部材１０の中央付近に設けられた、金輪９２に通されて、さらに端部は水路２０の上流側に位置して水路の外側で引き取ることができる。
水路２０の上流側の外側の一方のひも部材９４を引っ張ると、収集板９０は中央側が上流側に向かって回転し、水路２０の下流側の外側の他方のひも部材９４を引っ張ると、中央側が下流側に向かって回転する。
【００５７】
そして、浮遊物３５が堰止め部材１０の上流側に堰き止められて回収されると、左右の収集板９０に設けられたひも部材９４を引き寄せて、収集板９０の中央側を上流側に向かって回転させる。そうすると浮遊物３５が水路２０の側面側に移動する。このように移動することで水路２０の中央付近の浮遊物３５も収集されて、浮遊物３５を容易に引き上げることができる。また、折れ曲がり部９０ａが設けられているので、収集板９０を回転して浮遊物３５を収集する際に浮遊物３５が流されるおそれがない。収集が終わると、他方のひも部材９４を引くことで元の状態に戻すことができる。
【００５８】
上記した第５，第６の実施形態においては、ひも部材８４，９４を引っ張り、収集板８１，９０を遠隔操作するものである。この遠隔操作は、ひも部材８４，９４に限られず、駆動装置などを用いて収集板８１，９０を移動可能とし、駆動装置の遠隔操作によって行ってもよい。
【００５９】
堰止め部材１０の断面形状は、特に限られるものでなく、図１３に示されるものを採用することができる。例えば、第１の実施形態においては、図１３（ａ）に示されるように６面が覆われるものであったが、図１３（ｂ）の堰止め部材１０ｂのように、下側に開口を有していても良く、さらに図１３（ｃ）の堰止め部材１０ｃのように開口側が下方に向かって縮径していてもよい。また、図１３（ｄ）の堰止め部材１０ｄのように上側が上方に、下側が下方に向かって縮径していてもよく、図１３（ｅ）の堰止め部材１０ｅのように下方に向かって縮径してその断面が三角形状でもよく、図１３（ｆ）の堰止め部材１０ｆのように、円が上下に合体したひょうたん形状のようなものでもよく、図１３（ｇ）の堰止め部材１０ｇのように、上下方向が長軸である楕円形状でもよく、図１３（ｈ）の堰止め部材１０ｈように円形状でもよい。そして、図１３（ｉ）の堰止め部材１０ｉのように「コ」字状でもよい。
【００６０】
また、上記した堰止め部材１０の材質の比重が１以下であり、堰止め部材１０の浮力を発生させる浮力発生部５０が、水路２０の水流を受けることが可能な剛性部５１を兼ね備えたものであったが、図１４に示されるように浮力発生部５０と水流を受けることが可能な程度に剛性を有する剛性部５１が別部材である堰止め部材１０でも良く、さらに外側が剛性部５１で、内側に浮力発生部５０となっていても良い。そして、剛性部５１には、上側貫通孔２７ａと下側貫通孔２７ｂを設け、さらに剛性部５１の内側に設けられた空洞２３に、浮力発生部５０を配置する。また、浮力発生部５０は空洞２３の一部に設けられおり、上側貫通孔２７ａと下側貫通孔２７ｂは空洞２３を介して連通している。この場合剛性部５１には、金属などの比重が１よりも大きいものを用いることができる。
【００６１】
具体的には、図１４（ａ）に示される堰止め部材１２ａのように、剛性部５１の内部の側面付近に浮力発生部５０を設けても良く、図１４（ｂ）に示される堰止め部材１２ｂのように、剛性部５１の上側付近に浮力発生部５０を設けても良く、図１４（ｃ）に示される堰止め部材１２ｃのように、剛性部５１の下側全体を開口としても良く、図１４（ｄ）に示される堰止め部材１２ｄのように、剛性部５１の下流側の側方全体を開口としても良い。
【００６２】
剛性部５１の材質としては、金属、樹脂などの剛性を有するあらゆる材料を用いることができ、また、耐腐食性に優れるステンレスなどを用いることが望ましい。また、浮力発生部５０の材質としては、発泡樹脂や木材など比重が１以下であればどのようなものでも用いることができる。
【００６３】
また、上記した実施形態においては、保持部２１は、水路２０の一部が凹んだ溝状であったが、保持部２１の溝が水路２０側面より突出していてもよい。また溝でなく、水路２０の一部が凸状となり、堰止め部材１０を凸部の上流側で保持することができるものでも良い。さらに、堰止め部材１０に上下方向の貫通孔を設け、前記貫通孔に挿通可能な棒状部材を水路２０内に上下方向に設置して、堰止め部材１０を保持しても良い。
本実施形態における水路２０は下水用に用いられるものであったが、これに限らず、浮遊物が含まれるものであればどのようなものでも良い。
【００６４】
【発明の効果】
本発明は、上述の通り構成されているので、水路に設置して、スカムなどの浮遊物の回収行うことにより、沈殿池等の浮遊物の発生を減少させることができる。
【図面の簡単な説明】
【図１】本発明の第１の実施形態における浮遊物回収装置の斜視図である。
【図２】本発明の第１の実施形態の堰止め部材の斜視図である。
【図３】堰止め部材の変形例の断面図である。
【図４】堰止め部材の変形例の断面図である。
【図５】堰止め部材の変形例の断面図である。
【図６】本発明の第１の実施形態における浮遊物回収装置の水路の側面から見た断面図である。
【図７】本発明の第２の実施形態における浮遊物回収装置の斜視図である。
【図８】本発明の第３の実施形態における浮遊物回収装置の斜視図である。
【図９】本発明の第４の実施形態における浮遊物回収装置の水路の側面から見た断面図である。
【図１０】本発明の堰止め部材の変形例を示した断面図である。
【図１１】本発明の第５の実施形態における浮遊物回収装置の斜視図及び側面図である。
【図１２】本発明の第６の実施形態における浮遊物回収装置を上から見た側面図である。
【図１３】堰止め部材の変形例の断面図である。
【図１４】堰止め部材の変形例の断面図である。
【図１５】従来技術における沈殿池の斜視図である。
【符号の説明】
１，２，３，４，５，６　浮遊物回収装置
１０，１０ａ，１０ｂ，１０ｃ，１０ｄ，１０ｅ　堰止め部材
１０ｆ，１０ｇ，１０ｈ，１０ｉ，１１ａ　堰止め部材
１１ｂ，１２ａ，１２ｂ，１２ｃ，１２ｄ，６０，６１　堰止め部材
２０　水路
２１　保持部
２２ａ　水面
２３　空洞
２７　貫通孔（開口）
３５　浮遊物
４０　脱落防止部材
４３　浮遊物飛散防止部材
８０，９７　浮遊物収集部材
８１，９０　収集板
９１　回転軸
【図１】
2004097967.tif 000003
【図２】
2004097967.tif 000004
【図３】
2004097967.tif 000005
【図４】
2004097967.tif 000006
【図５】
2004097967.tif 000007
【図６】
2004097967.tif 000008
【図７】
2004097967.tif 000009
【図８】
2004097967.tif 000010
【図９】
2004097967.tif 000011
【図１０】
2004097967.tif 000012
【図１１】
2004097967.tif 000013
【図１２】
2004097967.tif 000014
【図１３】
2004097967.tif 000015
【図１４】
2004097967.tif 000016
【図１５】
2004097967.tif 000017